(57)【特許請求の範囲】
【請求項１】
開口部を有する筐体と、
軸方向を有し、前記筐体内に収納される第一回転軸と、
前記第一回転軸に巻き取られ、且つ、前記第一回転軸から巻き出されて前記開口部から前記筐体外に延びることができるフレキシブルスクリーンと、
前記フレキシブルスクリーンに固定され、前記フレキシブルスクリーンにつれて前記第一回転軸に巻き取られ、前記軸方向に前記フレキシブルスクリーンを支持するブラケットと、
前記筐体内に巻き取られ、且つ、前記フレキシブルスクリーンにつれて前記筐体外に延びることができ、前記軸方向に湾曲する記憶特性を有するサポーターと、を備え、
当該サポーターが前記筐体外にある場合、前記サポーターは前記ブラケットと結合されて前記フレキシブルスクリーンが延びる方向に前記ブラケットを支持するフレキシブルスクリーンモジュール。
【請求項２】
回転可能に前記筐体内に収納される第二回転軸をさらに備え、前記サポーターが前記第二回転軸に巻き取られることができることを特徴とする請求項１に記載のフレキシブルスクリーンモジュール。
【請求項３】
前記筐体に固定される駆動装置をさらに備え、前記サポーターの一端が前記第二回転軸に固定され、前記駆動装置は、前記サポーターが前記筐体外に延びまたは前記筐体内に巻き取られるように前記第二回転軸を駆動して回転させることを特徴とする請求項２に記載のフレキシブルスクリーンモジュール。
【請求項４】
前記ブラケットは、前記軸方向に沿って設けられ且つ前記フレキシブルスクリーンに固定される複数の支持体を備えることを特徴とする請求項１に記載のフレキシブルスクリーンモジュール。
【請求項５】
前記ブラケットと前記サポーターが磁力で互いに結合されることを特徴とする請求項１〜４のいずれかに記載のフレキシブルスクリーンモジュール。
【請求項６】
対向して設けられる押圧部を備えるファスナーをさらに備え、前記押圧部は、前記サポーターと前記ブラケットが結合されるように前記軸方向に前記サポーターを押圧するためのものであることを特徴とする請求項１に記載のフレキシブルスクリーンモジュール。
【請求項７】
前記サポーターが、前記フレキシブルスクリーンから離れる方向へ湾曲することを特徴とする請求項６に記載のフレキシブルスクリーンモジュール。
【請求項８】
前記ブラケットは、前記フレキシブルスクリーンと固定される本体と、前記軸方向に対向して設けられる結合部とを備え、前記サポーターは、前記軸方向での対向する両側に位置し、前記結合部と結合されることを特徴とする請求項６に記載のフレキシブルスクリーンモジュール。
【請求項９】
前記二つの対向して設けられる結合部が、前記本体の軸方向での両側に位置することを特徴とする請求項８に記載のフレキシブルスクリーンモジュール。
【請求項１０】
前記サポーターは、前記ブラケットと結合されるとき、前記軸方向に圧縮された状態にあることを特徴とする請求項６〜９のいずれかに記載のフレキシブルスクリーンモジュール。
【請求項１１】
前記ファスナーは、前記押圧部の一方の側に位置する押し合わせ部をさらに備え、前記サポーターは、前記押圧部によって押圧された後、前記押し合わせ部内に元の湾曲状態に復帰し、且つ、前記結合部と結合されることを特徴とする請求項６に記載のフレキシブルスクリーンモジュール。
【請求項１２】
前記ファスナーは、前記押圧部の一方の側に位置する分離部をさらに備え、前記開口部へ移動する場合、前記サポーターが前記押圧部によって押圧される前に、前記サポーターと前記ブラケットが前記分離部の両側に位置することを特徴とする請求項６または１１に記載のフレキシブルスクリーンモジュール。
【請求項１３】
前記サポーターが前記筐体内にある場合、前記サポーターは前記ブラケットと結合されないことを特徴とする請求項１に記載のフレキシブルスクリーンモジュール。
【請求項１４】
請求項１〜１３のいずれかに記載のフレキシブルスクリーンモジュールを備える電子装置。
【請求項１５】
出口を有するハウジングと、
前記ハウジングに収納されるフレキシブルスクリーンモジュールと、を備え、
前記フレキシブルスクリーンモジュールは、
軸方向を有し、前記筐体内に収納される第一回転軸と、
前記第一回転軸に巻き取られ、且つ、前記第一回転軸から巻き出されて前記開口部から前記筐体外に延びることができるフレキシブルスクリーンと、
前記フレキシブルスクリーンに固定され、前記フレキシブルスクリーンにつれて前記第一回転軸に巻き取られ、前記軸方向に前記フレキシブルスクリーンを支持するブラケットと、
前記筐体内に巻き取られ、且つ、前記フレキシブルスクリーンにつれて前記筐体外に延びることができ、前記軸方向に湾曲する記憶特性を有するサポーターと、を備え、
前記サポーターが前記筐体外にある場合、前記サポーターは前記ブラケットと結合されて前記フレキシブルスクリーンが延びる方向に前記ブラケットを支持する、電子装置。
【請求項１６】
回転可能に前記筐体内に収納される第二回転軸及び駆動装置をさらに備え、前記サポーターは、一端が前記第二回転軸に固定され、且つ、前記第二回転軸に巻き取られることができ、前記駆動装置は、前記サポーターが前記筐体外に延びまたは前記筐体内に巻き取られるように前記第二回転軸を駆動して回転させることを特徴とする請求項１５に記載の電子装置。
【請求項１７】
前記ブラケットと前記サポーターが磁力で互いに結合されることを特徴とする請求項１５に記載の電子装置。
【請求項１８】
対向して設けられる押圧部を備えるファスナーをさらに備え、前記押圧部は、前記サポーターと前記ブラケットが結合されるように前記軸方向に前記サポーターを押圧するためのものであることを特徴とする請求項１５に記載の電子装置。
【請求項１９】
前記ブラケットは、前記フレキシブルスクリーンと固定される本体と、前記軸方向に対向して設けられる結合部とを備え、前記サポーターは、前記軸方向での対向する両側に位置し前記結合部と結合されるとき、前記軸方向に圧縮された状態にあることを特徴とする請求項１８に記載の電子装置。
【請求項２０】
前記サポーターが、前記フレキシブルスクリーンから離れる方向へ湾曲することを特徴とする請求項１８または１９に記載の電子装置。
【請求項２１】
前記ファスナーは、前記押圧部の一方の側に位置する押し合わせ部をさらに備え、前記サポーターは、前記押圧部によって押圧された後、前記押し合わせ部内に元の湾曲状態に復帰し、且つ、前記結合部と結合されることを特徴とする請求項１８に記載の電子装置。
【請求項２２】
前記サポーターが前記筐体内にある場合、前記サポーターは前記ブラケットと結合されないことを特徴とする請求項１５に記載の電子装置。
【発明の詳細な説明】
【技術分野】
【０００１】
本発明はフレキシブルスクリーンに関し、特に、フレキシブルスクリーンモジュール及びこのモジュールを備える電子装置に関する。
【背景技術】
【０００２】
従来の主なスクリーンモジュールは、ＬＣＤモジュール及びＯＬＥＤモジュールがある。上記の二つのスクリーンモジュールは、それぞれ、硬質ガラス基板を有するため、湾曲することができない。最近、フレキシブルＯＬＥＤスクリーンが現れたため、スクリーンモジュールは、通常の平面だけではなく、例えば、フレキシブルスクリーンが暖簾のように巻き取られることができる。スクリーンは、剛性を有しないため、引き出された後どのように支持されて固定される問題がある。
【０００３】
従来は、フレキシブルスクリーンが引き出される開口部の対向する両側に回転可能な支持ロッドが設けられる方法がある。フレキシブルスクリーンが引き出される前に、二つの支持ロッドは重なり合う一方、フレキシブルスクリーンが引き出された後、当該二つの支持ロッドは、フレキシブルスクリーンを支持するように、フレキシブルスクリーンが引き出された方向へ回転し、互いに平行な位置に至る。しかしながら、フレキシブルスクリーンが引き出された後、支持ロッドを手動で回転させてフレキシブルスクリーンと共に固定する必要があるため、使用に不便である。また、フレキシブルスクリーンは、支持ロッドによって支持されない部分が変形しやすいため、ユーザの操作に不利である。
【発明の概要】
【０００４】
本発明の実施形態は、使用に便利であるフレキシブルスクリーンモジュール及びこのフレキシブルスクリーンモジュールを備える電子装置を提供する。
【０００５】
フレキシブルスクリーンモジュールは、筐体と、第一回転軸と、フレキシブルスクリーンと、ブラケットと、サポーターと、を備える。筐体は、開口部を有する。第一回転軸は、軸方向を有し、当該筐体内に収納される。フレキシブルスクリーンは、当該第一回転軸に巻き取られ、且つ、当該第一回転軸から巻き出されて当該開口部から当該筐体外に延びることができる。ブラケットは、当該フレキシブルスクリーンに固定され、当該フレキシブルスクリーンにつれて当該第一回転軸に巻き取られ、当該軸方向に当該フレキシブルスクリーンを支持する。サポーターは、当該筐体内に巻き取られ、且つ、当該フレキシブルスクリーンにつれて当該筐体外に延びることができ、当該軸方向に湾曲する記憶特性を有する。サポーターは当該筐体外にある場合、サポーターが当該ブラケットと結合されて当該フレキシブルスクリーンが延びる方向に当該ブラケットを支持する。
電子装置は、上記フレキシブルスクリーンモジュールを備える。
【０００６】
本発明によれば、サポーターは、第一回転軸の軸方向に湾曲する記憶特性を有するため、フレキシブルスクリーンにつれて筐体外に延びるとき、第一回転軸の軸方向に湾曲し、この軸方向に大体垂直な方向に一定の剛性を有し、湾曲しにくいことにより、ブラケットと協働してフレキシブルスクリーンを支持する効果を奏する。また、サポーターは、筐体外に延びるとき、ブラケットと既に結合され、人為的に結合させる必要がなく、操作が便利である。
【図面の簡単な説明】
【０００７】
以下の添付図面は、実施形態と一緒に本発明を詳細に説明するためのものである。添付図面に示される各素子は、実際のサイズ及び割合を表するものではないと理解される。説明を明瞭にするために示される概略図は、本発明を制限するものであると理解されてはならない。
【図１】本発明の第一実施形態によるフレキシブルスクリーンモジュールを備える電子装置の概略図である。
【図２】図１の電子装置の、ハウジングが取り除かれたフレキシブルスクリーンモジュールの概略構造図である。
【図３】図２のフレキシブルスクリーンモジュールの部分分解概略構造図であり、部分的に押圧される支持ロッドを示す。
【図４】図２のフレキシブルスクリーンモジュールのブラケット及びフレキシブルスクリーンを別の角度から見た概略図である。
【図５】図２のフレキシブルスクリーンモジュールのＶ−Ｖ線に沿った概略断面図である。
【図６】図２のフレキシブルスクリーンモジュールの別の実施形態のインターフェースの概略図である。
【図７】図２のフレキシブルスクリーンモジュールのブラケットの別の実施形態の概略図である。
【発明を実施するための形態】
【０００８】
本発明の目的、技術手段及び利点を一層明瞭にするために、以下に、若干の実施形態及び図面を参照しながら、本発明を一層詳しく説明する。ここで記載される実施形態は、本発明を解釈するためのものだけであるが、本発明を制限するものではないと理解される。
【０００９】
図１は、本発明の第一実施形態による電子装置１０の概略図である。電子装置１０は、ハウジング１６と、このハウジング１６内に収納される回路基板１５及びフレキシブルスクリーンモジュール２０とを備える。ハウジング１６は、出口１８を有する。フレキシブルスクリーンモジュール２０のフレキシブルスクリーンは、巻き取られ、または、巻き出されることができるが、巻き出される場合、ユーザに見られるように出口１８を経てハウジング１６外に延びる。
【００１０】
図２及び図３を再び参照すると、フレキシブルスクリーンモジュール２０は、筐体２１と、第一回転軸２２と、第二回転軸２３と、フレキシブルスクリーン２４と、ブラケット２５と、サポーター２７と、ファスナー２８とを備える。筐体２１の一方の側面には、開口部２１ａが設けられる。第一回転軸２２及び第二回転軸２３は、回転可能に筐体２１内に固定され、間隔を隔てて設けられ、互いに大体平行である。
【００１１】
フレキシブルスクリーン２４は、略矩形を呈しており、画像を表示する正面とこの正面に対向する裏面と（図２及び図３に示されない）を備える。フレキシブルスクリーン２４は、正面の一側が第一回転軸２２に固定され、当該固定の部分が正面の表示領域のエッジの非表示領域であってもよい。このように、フレキシブルスクリーン２４は、第一回転軸２２に巻き取られ、または、第一回転軸２２から巻き出されて開口部２１ａから筐体２１外に延びることができる。
【００１２】
図４を再び参照すると、ブラケット２５は、複数の硬質の支持体２６を備える。当該複数の支持体２６は、フレキシブルスクリーン２４における回転軸２２に固定される側（つまり、第一回転軸２２の軸方向）と平行して設けられると共に、間隔を隔ててフレキシブルスクリーン２４の裏面に接着等で固定される。このように、当該複数の支持体２６は、フレキシブルスクリーン２４につれて巻き取られ、または、巻き出されることができる。具体的には、各支持体２６は、フレキシブルスクリーン２４の背面に固定される本体２６ａとそれぞれ本体２６ａの対向する両側に位置する二つの結合部２６ｂとを備える。本体２６ａは、長方形を呈しており、第一回転軸２２の軸方向に沿って延びることにより、この軸方向にフレキシブルスクリーン２４を支持する効果を奏する。結合部２６ｂは、フレキシブルスクリーン２４から離れる方向に沿ってフレキシブルスクリーンの裏面の中間へ延びることにより、弧状に湾曲する。結合部２６ｂは、本体が折り曲げられたものであってもよい。
【００１３】
特に、他の実施形態において、支持体２６における隣接する二つの支持体に向かう両側に、互いに相手の方へ傾く面取りが設けられる場合、隣接する支持体２６は、間隔を隔てて設けられる必要がなく、互いに密着して設けられてもよい。上記面取りが設けられることにより、複数の密着して設けられる支持体２６は、第一回転軸２２に巻き取られることができる。
【００１４】
図２及び図３を参照すると、サポーター２７は、略長方形を呈する。サポーター２７は、幅方向に湾曲する記憶特性を有する。この記憶特性によって、サポーター２７は、外力を受けない場合、幅方向に湾曲を保ち、この湾曲で、例えば、図３の右側に示すように、サポーター２７が折り曲げられ難くなる。外力を受けて折り曲げられた後、外力が解除される場合、図３の左側に示すように、サポーター２７は、折り曲げられた部分が平らになると共に、折り曲げられ且つ自動的に巻き取られる状態を保つことができ、折り曲げられない部分が依然として一定の湾曲を保つ。サポーター２７は、湾曲状態で幅方向での両側の間の距離Ａが支持体２６の対向する二つの結合部２６ｂにおける本体２６ａから離れた側の間の距離Ｂよりも大きい（図４に示すように）。このように、図５に示すように、サポーター２７は、湾曲であり、折り曲げられない部分が支持体２６と係合されており、すなわち、サポーター２７は、第一回転軸２２の軸方向での両側に位置し、弧状の結合部２６ｂと本体２６ａに囲まれた空間内に係合又は収納されることにより、フレキシブルスクリーン２４が延びる方向に、筐体２１から離れる支持体２６を支持する。サポーター２７は、折り曲げられる部分が第二回転軸２３に巻き取られる。サポーター２７は、記憶性を有する金属、例えば、ニチノールから形成されてもよい。
【００１５】
ファスナー２８は、ベース２８ａと、対向して設けられる二つの押圧部２８ｂと、二つの押圧部２８ｂの対向する両側にそれぞれ位置し且つ略Ｕ字状を呈する、押し合わせ部２８ｃ及び分離部２８ｄとを備える。押圧部２８ｂは、ベース２８ａに固定され、且つ、互いに相手の方へ伸び、その間の最小間隔Ｃが支持体２６の対向する二つの結合部２６ｂにおける本体２６ａから離れた側の間の距離Ｂよりも小さいことにより、サポーター２７を押圧する。押し合わせ部２８ｃ及び分離部２８ｄは、それぞれ、ベース２８ａと共に、リング状のものを構成する。サポーター２７は、押し合わせ部２８ｃと分離部２８ｄを貫通し、押圧部２８ｂによって押圧される。フレキシブルスクリーン２４がブラケット２５と共に押し合わせ部２８ｃを貫通し、且つ、ブラケット２５が押し合わせ部２８ｃ内にサポーター２７と結合される。また、フレキシブルスクリーン２４とブラケット２５は、分離部２８ｄにおけるサポーター２７から離れた側に位置する。
【００１６】
組み立ての過程において、サポーター２７は、長手方向での一端が分離部２８ｄを貫通し、押圧部２８ｂによって押圧され、残りの部分が第二回転軸２３に巻き取られる。フレキシブルスクリーン２４がブラケット２５と共に第一回転軸２２に巻き取られ、ブラケット２５の一端の支持体２６が押圧されるサポーター２７に包接し、そして、三者が共に押し合わせ部２８ｃを貫通する。更に、第一回転軸２２及び第二回転軸２３は、筐体２１に回転可能に固定され、そして、フレキシブルスクリーンモジュールの組み立てが完了する。最後、フレキシブルスクリーンモジュール２０が電子装置１０のハウジング１６内に装着され、且つ、回路基板１５に関する信号接続が行われ、また、出口１８が開口部２１ａに位置合わせされることにより、フレキシブルスクリーン２４がハウジング１６外に延びやすくなる。
【００１７】
動作の過程において、フレキシブルスクリーン２４が画像を表示する必要がある場合、ユーザは手動でフレキシブルスクリーン２４を引き出す。このとき、出口１８外に、サポーター２７とフレキシブルスクリーン２４における出口１８に隣接する側に固定され且つ接続される部品は設けられ、引き出しが便利になる。或いは、電動の手段を利用して、筐体２１に固定されるモーター３１（図１に示すように）によって第二回転軸２３が駆動されることにより、サポーター２７がフレキシブルスクリーン２４を外へ延びさせる。このとき、出口１８に隣接する側のサポーター２７が、支持体２６に固定され且つ連接される必要がある。言うまでもなく、固定しなくてもよく、このとき、別のモーター３２によって第一回転軸２２が駆動される。フレキシブルスクリーン２４及びサポーター２７が外へ延びるにつれて、サポーター２７における押圧部２８ｂに至る部分は押圧され、幅方向に対向する二つの結合部２６ｂにおける本体２６ａから離れた側の間の距離よりも小さい。
【００１８】
フレキシブルスクリーン２４及びサポーター２７が外へ延び続く場合、フレキシブルスクリーン２４及び支持体２６が押し合わせ部２８ｃの作用でサポーター２７に近づくことにより、押圧されたサポーター２７は、半分が支持体２６に囲まれた空間内に入る。フレキシブルスクリーン２４とサポーター２７が外へ延び続くにつれて、サポーター２７は、押圧部２８ｂから次第に離れ、元の湾曲状態に復帰し、弧状の結合部２６ｂと本体２６ａに囲まれた空間内に係合又は収納されることにより、支持体２６と結合され、出口１８から外へ延びる。フレキシブルスクリーン２４は、使用される必要がない場合、同様に、手動や電気でハウジング１６内に収納される。この過程は上記の引き出し過程と逆であるため、当業者は上記の記載に基づいてこの過程を了解することができ、詳しく説明される必要がない。
【００１９】
サポーター２７は、第一回転軸２２の軸方向に湾曲する記憶特性を有するため、フレキシブルスクリーン２４につれて筐体２１外に延びるとき、第一回転軸２２の軸方向に湾曲し、この軸方向に大体垂直な方向に一定の剛性を有し、湾曲しにくいことにより、ブラケット２５と協働してフレキシブルスクリーン２４を支持する効果を奏する。また、サポーター２７は、筐体２１外に延びるとき、ブラケット２５と既に結合され、人為的に結合される必要がなく、操作が便利である。さらに、設けられたブラケット２５は、フレキシブルスクリーン２４がサポーター２７に変形しやすくないようにフレキシブルスクリーン２４を支持する効果を奏する。
【００２０】
分離部２８ｄは、ブラケット２５とサポーター２７の結合前に両者を仕切る効果を奏する。しかしながら、他の実施形態において、フレキシブルスクリーン２４とブラケット２５は、第一回転軸２２から巻き出されるときに、押圧されたサポーター２７にほとんど至り、この場合、ブラケット２５もサポーター２７と順調に結合されることができると理解される。このように、分離部２８ｄを設けなくてもよい。
【００２１】
押し合わせ部２８ｃは、ブラケット２５とサポーター２７が結合される領域内に両者の相対位置の不変を確保し、さらに両者の結合の成功を保証する効果を奏する。しかしながら、フレキシブルスクリーンモジュールの筐体の開口部２１ａまたは電子装置のハウジングの出口１８も、押し合わせ部２８ｃの役割をすることができ、幅が適当であればよいと理解される。このため、他の実施形態において、押し合わせ部２８ｃを設けなくてもよい。
【００２２】
上記の実施形態のように、サポーター２７は、一定の閾値を超える力を受けた後、折り曲げられ且つ自動的に巻き取られる。このため、他の実施形態において、第二回転軸２３を設けなくてもよく、サポーター２７は、フレキシブルスクリーン２４が巻き取られた後、筐体２１またはハウジング１６または他の部品からの抵抗で自動的に巻き取られる。
【００２３】
上記の実施形態において、サポーター２７は、ブラケット２５の両側に結合されるものである。しかしながら、他の実施形態において、例えば図６に示すように、サポーター２７はブラケット２５の中間に隣接する位置に結合されてもよいと理解される。また、上記の実施形態において、サポーター２７は、フレキシブルスクリーン２４から離れる方向へ湾曲し、折り曲げられ難い効果を奏する。しかしながら、図６に示すように、サポーター２７は、フレキシブルスクリーン２４に近づく方向へ湾曲する場合、上記効果も奏することができると理解される。
【００２４】
他の実施形態において、ブラケットは、複数の支持体２６が間隔を隔てて構成するものではなくてもよく、図７に示すブラケット２５’のような一体化構造であってもよい。この場合、ブラケット２５’は、弾性を有する材料、例えば、熱可塑性ポリウレタン（ＴＰＵ）で一体成型される。外力を受けない場合、ブラケット２５’の両側の結合部２５ｂは、本体２５ａの中間へ湾曲し、その作用が上記の実施形態の結合部２６ｂと同様である。ブラケット２５’がフレキシブルスクリーンと共に巻き取られる場合、結合部２５ｂは、変形して本体２５ａに密着し、巻き取られた後の全体の厚さを低減する効果を奏する。また、サポーター２７がブラケット２５と結合されるとき、サポーター２７は、第一回転軸２２の軸方向に圧縮された状態にあることが好ましい。このように、本体２５ａの変形抵抗性が補強される。言うまでもなく、該サポーター２７が圧縮される場合は、上記各支持体２６にも適用されてもよい。
【００２５】
上記実施形態において、サポーター２７は、係合によって、ブラケット２５と結合される。しかしながら、他の実施形態において、ブラケット２５とサポーター２７の一方が磁性材料にされ、他方が導磁性材料にされる場合、両者は磁力で互いに直接的に結合されることができると理解される。このように、上記実施形態が達成しようとする目的を達成することもできる。この場合、ブラケット２５は、結合部が設けられなくてもよい。
【００２６】
筐体２１によって、フレキシブルスクリーンモジュールがモジュール式の構造に形成されるため、後の電子装置の組み立てに便利である。しかしながら、フレキシブルスクリーンモジュールにおける筐体２１以外の残りの部品がハウジング１６に直接に装着されてもよく、この場合、筐体２１が設けられなくてもよいと理解される。また、ブラケット２５がフレキシブルスクリーン２４に固定されるため、ブラケット２５が第一回転軸２２に固定されてもよく、同様に、フレキシブルスクリーン２４が第一回転軸２２に巻き取られることができると理解される。
【００２７】
以上は、本発明の好適な実施方式に過ぎなく、本発明を制限するためのものではない。本発明の精神及び要旨を逸脱しない場合行われる変更、均等置換及び改良などは、いずれも本発明の範囲に属するものである。
【図１】
0006472880.tif 000002
【図２】
0006472880.tif 000003
【図３】
0006472880.tif 000004
【図４】
0006472880.tif 000005
【図５】
0006472880.tif 000006
【図６】
0006472880.tif 000007
【図７】
0006472880.tif 000008